(57)【特許請求の範囲】
【請求項１】
農業用ハウスの骨材に固定される垂木材と、この垂木材の上部にネジ止め固定されて内側硬質フィルムを張設する複層用押さえ材と、この複層用押さえ材の上部にネジ止め固定されて外側硬質フィルムを張設する押さえ材とから成り、
農業用ハウスの屋根や側面や妻面を硬質フィルムで二重張り構造とする硬質フィルム二重張り用固定部材において、
上記複層用押さえ材が、上記垂木材の上面に内側硬質フィルムを押し付けて挟持する底面部及び左右の脚部と、上記底面部から平行に上方へ伸びる二列の垂直部と、この二列の垂直部の間に形成されて該二列の垂直部を相互に連結する中底部とから成り、
上記中底部２５が肉薄の中央部２５ａと比較的肉厚の左右両外側部２５ｂ、２５ｂとによるものであって、中央部２５ａの幅はこれにねじ込まれるドリルネジ２８の軸の外径よりも少し狭くなっており、
上記押さえ材が上記複層用押さえ材の上部にネジ止めされるとき、ネジが該複層用押さえ材の中底部２５の両外側部に深く食い込んでねじ込まれることを特徴とする硬質フィルム二重張り用固定部材。
【請求項２】
上記垂木材として上記複層用押さえ材を用いて、この複層用押さえ材を農業用ハウスの骨材に直接ネジ止め固定することを特徴とする請求項１に記載の硬質フィルム二重張り用固定部材。
【請求項３】
上記複層用押さえ材を複数個用いることによって、硬質フィルムを三重以上の多重張り構造とすることを特徴とする請求項１又は請求項２に記載の硬質フィルム二重張り用固定部材。
【請求項４】
上記中底部２５の外側部２５ｂ、２５ｂによって段状部２５ｃ、２５ｃが形成されていることを特徴とする請求項１に記載の硬質フィルム二重張り用固定部材。
【発明の詳細な説明】
【技術分野】
【０００１】
本発明は、農業用ハウスの屋根、側面、妻面等を硬質フィルムで二重張り構造とするための固定部材に関し、二重張り構造の硬質フィルムを農業用ハウスの屋根や側面や妻面等に対して十分な強度で安定して固定することができる硬質フィルム二重張り用の固定部材に関するものである。
【背景技術】
【０００２】
農業用ハウスにおいて保温・断熱効果を高めるために、その屋根や側面や妻面を硬質フィルムで二重張り構造にすることは、例えば、特開平６−１３３６４８号公報、特開２００１−２１１７５８号公報に記載されているように、従来から普通に行われている。
そして、農業用ハウスにおいて硬質フィルムで二重張り構造にする際に、この二重張り構造の硬質フィルム間に所定の間隔の空隙を容易に形成することができると共に、屋根を二重張り構造とした場合の屋根上作業での足場として利用する場合に、硬質フィルムや固定部材に損傷が生じないように改良した硬質フィルム二重張り用の固定部材は、実用新案登録第３１５５５２６号公報（特許文献１）に記載されているように、既に公知のものである。
【０００３】
〔従来の二重張り固定部材１０について〕
上記公知の硬質フィルムの二重張り固定部材１０は、図６に示されるように、農業用ハウス１の母屋材２や桟材３（骨材）に対してネジ止め固定されるアルミ合金製垂木材１１Ａ、又はスチール製垂木材１１Ｂと、この垂木材１１Ａ又は１１Ｂの上部にネジ止め固定される複層用押さえ材１２と、この複層用押さえ材１２の上にネジ止め固定される押さえ材１３とから成っており、農業用ハウス１の屋根等において、内側硬質フィルムｆ１と外側硬質フィルムｆ２を所定の間隔を保持して、農業用ハウス１の母屋材２や桟材３に対して固定するものである。
【０００４】
次に、上記二重張り固定部材１０を構成する垂木材１１、複層用押さえ材１２、及び押さえ材１３について、それぞれ具体的に説明する。
（垂木材１１について）
上記アルミ合金製垂木材１１Ａは、図６(ｂ)、(ｃ)及び図７示されるように、ボトム空間部１１Ａａを形成する正三角形状ボトム部１１Ａｂと、このボトム部１１Ａｂの左右の斜辺の途中からそれぞれ上方に平行に伸びる二列の垂直部１１Ａｃ、１１Ａｄと、これら各垂直部１１Ａｃ、１１Ａｄの上端を左右方向の外側に伸ばした上端水平部１１Ａｅ、１１Ａｆと、上記三角形状ボトム部１１Ａｂの底辺を図示の左方向に伸ばした底面水平部１１Ａｇとを備えた断面形状のアルミ合金製型材で構成されている。
【０００５】
上記上端水平部１１Ａｅ、１１Ａｆの左右縁は、内側硬質フィルムｆ１に損傷を与えないようにそれぞれ下方に向かって屈曲されている。また、上記垂直部１１Ａｃ、１１Ａｄの各内側面には全長に渡って、三角形断面形状の突条１１Ａｈ、１１Ａｉがそれぞれ複数条突設されている。上記左側の垂直部１１Ａｃの突条１１Ａｈと右側垂直部１１Ａｄの突条１１Ａｉは、ネジ（ドリルネジ）に螺合するようにネジピッチに対応して高さ方向にずれた配置となっている。また、上記底面水平部１１Ａｇの上面には、上記垂木材１１Ａを農業用ハウス１の母屋材２や桟材３（骨材）にネジ止め固定するネジの先端を位置合わせし易くするための三角形断面溝１１Ａｊが、全長に渡って刻設されている。
【０００６】
なお、図６(ｄ)、(ｅ)には、垂木材１１としてスチール製垂木材１１Ｂも示されているが、このスチール製垂木材１１Ｂは、その本体部１１Ｂｂの上端部分が外側へ曲げられるように丸められて開口部１１Ｂｃが形成され、この開口部１１Ｂｃに複層用押さえ材１２を固定するためのネジ（ドリルネジ）６が螺合される点において上記アルミ合金製垂木材１１Ａと異なっているが、垂木材の機能としては上記アルミ合金製垂木材１１Ａと基本的に同じであるから、以後の記載ではアルミ合金製垂木材１１Ａを用いる場合について説明することとする。
【０００７】
（複層用押さえ材１２について）
上記複層用押さえ材１２は、図６(ｂ)〜(ｅ)、図７、及び図８示されるように、アルミ合金製垂木材１１Ａの上端水平部１１Ａｅ、１１Ａｆよりも幅広の凹部１２ａを底面に形成するように、左右の両縁が下方に湾曲された脚部１２ｂ、１２ｃを備える底面部１２ｄと、この底面部１２ｄの上面から上記アルミ合金製垂木材１１Ａの垂直部１１Ａｃ、１１Ａｄの間隔よりも若干広い間隔を開けて平行に上方に伸びる左右二列の垂直部１２ｅ、１２ｆと、この二列の垂直部１２ｅ、１２ｆの上端を外開きの鉤状に折り曲げた上端折曲部１２ｇ、１２ｈとを備えた断面形状のアルミ合金製型材で構成されている。
なお、図８(ｂ)及び(ｃ)の平面図及び側面図は、部材の長さ方向の全長を表すものではなく、実際には複層用押さえ材１２は長尺の型材であって、所要の長さに切断して用いられる。
【０００８】
上記左右の脚部１２ｂ、１２ｃにおける内側硬質フィルムｆ１との接触面は、この硬質フィルムｆ１に損傷を与えないように湾曲面で構成されている。同じく、上端折曲部１２ｇ、１２ｈの先端も半円状断面に成っていて、外側硬質フィルムｆ２と接触しても損傷を与えないようにされている。
上記垂直部１２ｅ、１２ｆの間隔は、内側硬質フィルムｆ１を固定するためのネジ６の軸を挿通させることができる間隔とされ、上端折曲部１２ｇ、１２ｈの間隔は当該ネジ６の頭部を収納することができる間隔とされている。即ち、これら垂直部１２ｅ、１２ｆ及び上端折曲部１２ｇ，１２ｈの間に形成される段付溝１２ｉは、内側硬質フィルムｆ１を固定するネジ６を収納すると共に、当該ネジ６の締め上げにおけるワッシャ等の代わりをするスペーサ的な役割を果たす部材として構成されている。
【０００９】
（押さえ材１３について）
上記押さえ材１３は、図６(ｂ)〜(ｅ)及び図７示されるように、複層用押さえ材１２の上端折曲部１２ｇ、１２ｈよりも幅広の凹部１３ａが底面に形成されるように、左右の両縁が下方に湾曲された脚部１３ｂ、１３ｃを備えるコ字状断面の板状部１３ｄから成る断面形状のアルミ合金製型材で構成されている。この押さえ材１３の上面中央には、三角形断面溝１３ｅが全長に渡り刻設されており、同じく底面中央には、外側硬質フィルムｆ２に対して屈曲によってテンションを加えるための半円形断面突条１３ｆが全長に渡って突設されている。
なお、上記左右の脚部１３ｂ、１３ｃにおける外側硬質フィルムｆ２との接触面は、該硬質フィルムｆ２に損傷を与えないように湾曲面で構成されている。
【００１０】
〔硬質フィルムを二重張り構造にする手順について〕
次に、上記二重張り固定部材１０（アルミ合金製垂木材１１Ａ、複層用押さえ材１２、及び押さえ材１３）を用いて、農業用ハウス１の屋根等に、内側と外側の硬質フィルムｆ１、ｆ２を二重張り構造にする手順について、図９を参照しながら説明する。
先ず最初に、農業用ハウス１の母屋材２や桟材３に固定したアルミ合金製垂木材１１Ａの上面に、内側硬質フィルムｆ１をぴんと張るように端を引っ張った状態でセットする（図９(ａ)）。その上から複層用押さえ材１２で内側硬質フィルムｆ１を押さえ付けて（図９(ｂ)）、所定間隔毎にネジ（ドリルネジ）６でネジ止めする（図９(ｃ)）。次に、その上から外側硬質フィルムｆ２をぴんと張るように端を引っ張った状態でセットする（図９(ｄ)）。その上から押さえ材１３で外側硬質フィルムｆ２を押さえ付けて（図９(ｅ)）、所定間隔毎にネジ（ドリルネジ）７でネジ止めする（図９(ｆ)）。
【００１１】
このとき、上記手順(ｃ)での複層用押さえ材１２のネジ止め位置と、上記手順(ｆ)での押さえ材１３のネジ止め位置は、長さ方向（図９の紙面に垂直な方向）にずらした位置とする。また、上記手順(ｃ)で複層用押さえ材１２に使用するネジ６は、この複層用押さえ材１２の垂直部１２ｅ、１２ｆの間隔よりも細く、上記アルミ合金製垂木材１１Ａの垂直部１１Ａｃ、１１Ａｄの内面に対してしっかりと螺合する長さを有する。
一方、上記手順(ｆ)で押さえ材１３に使用するネジ７は、複層用押さえ材１２の段付溝１２ｉの深さよりも短く、かつ段付溝１２ｉを構成する左右の垂直部１２ｅ、１２ｆに対して螺合する太さを有する。
【００１２】
このように上記二重張り固定部材１０を用いて固定すると、内側硬質フィルムｆ１は、アルミ合金製垂木材１１Ａの上端水平部１１Ａｅ、１１Ａｆと、複層用押さえ材１２の脚部１２ｂ、１２ｃによる屈曲によってテンションが加わった状態で固定される（図９(ｃ)）。同じく外側硬質フィルムｆ２は、複層用押さえ材１２の上端折曲部１２ｇ、１２ｆと、押さえ材１３の脚部１３ｂ、１３ｃ及び半円形断面突条１３ｆによる屈曲によってテンションが加わった状態で固定される（図９(ｆ)）。
その結果、内側硬質フィルムｆ１と外側硬質フィルムｆ２との間には、所定の間隔の空隙が形成される。そして、屋根上での作業では、押さえ材１３を足場として利用することができ、その際、アルミ合金製垂木材１１Ａ、複層用押さえ材１２、及び押さえ材１３の中心が一致した状態にあり、二重張り固定部材１０で作業者の体重を母屋材２や桟材３（骨材）に対して垂直に受け止めることができる。
【００１３】
〔従来技術の問題点〕
上記従来の二重張り固定部材１０の複層用押さえ材１２はアルミ合金製型材から成っており、外側硬質フィルムｆ２をこの複層用押さえ材１２に固定するために、左右二列の垂直部１２ｅ、１２ｆの間に形成された段付溝１２ｉにネジ７をねじ込むと、上記それぞれの垂直部１２ｅ、１２ｆが、図１０の矢印Ｘで示されるように外側に向かって拡開する（膨らむ）ため、上記ネジ７のネジ山の切り込みが浅くなる（ネジ７の螺合度合が小さくなる）。その結果、上記ネジ７に対する上記二列の垂直部１２ｅ、１２ｆによる把持力（固定する力）が不十分になり、押さえ部材１３による外側硬質フィルムｆ２の固定力（押さえ付ける力）が不安定になる。
上記二列の垂直部１２ｅ、１２ｆが外側に向かって拡開することを回避するために、該垂直部１２ｅ、１２ｆの剛性を高くするよう上記複層用押さえ材１２を肉厚に形成することも考えられるが、そのようにすると複層用押さえ材１２の重量が増大して材料費や建設コストが高くなる。
【先行技術文献】
【特許文献】
【００１４】
【特許文献１】実用新案登録第３１５５５２６号公報（平成２１年１０月２８日登録）
【発明の概要】
【発明が解決しようとする課題】
【００１５】
本発明の技術課題は、上記従来技術が有する問題点を解決するために、複層用押さえ材の重量の増大を抑えて、該複層用押さえ材における二列の垂直部がネジのねじ込みによって外側に拡開することがないように剛性を高くして、ネジに対する把持力を大きくすることにより、押さえ部材によって外側硬質フィルムを確実に安定して固定することができるように工夫することである。
【課題を解決するための手段】
【００１６】
以下に、上記課題を解決するために講じた技術的手段を作用と共に説明する。
(１) 本発明に係る硬質フィルム二重張り用固定部材（請求項１に対応）は、農業用ハウスの骨材に固定される垂木材と、この垂木材の上部にネジ止め固定されて内側硬質フィルムを張設する複層用押さえ材と、この複層用押さえ材の上部にネジ止め固定されて外側硬質フィルムを張設する押さえ材とから成り、農業用ハウスの屋根や側面や妻面を硬質フィルムで二重張り構造とする硬質フィルム二重張り用固定部材を前提として、次の(イ)及び(ロ)によるものである。
(イ) 上記複層用押さえ材が、上記垂木材の上面に内側硬質フィルムを押し付けて挟持する底面部及び左右の脚部と、上記底面部から平行に上方へ伸びる二列の垂直部と、この二列の垂直部の間に形成されて該二列の垂直部を相互に連結する中底部とから成り、
(ロ) 上記押さえ材が上記複層用押さえ材の上部にネジ止めされるとき、ネジが該複層用押さえ材の中底部にねじ込まれること。
【００１７】
このように構成することによって、外側硬質フィルムを固定する押さえ材をネジ止めするために複層用押さえ材の中底部にネジがねじ込まれるとき、上記複層用押さえ材の二列の垂直部には左右外側に向かって拡げようとする力が働くが、この二列の垂直部は中底部によって互いに連結されているので、外側に向かって拡開されることはない。その結果、ネジのネジ山が中底部に深く食い込むことができ、外側硬質フィルムを固定する押さえ材を複層用押さえ材に対して強く確実に固定することができる。
【００１８】
(２) また、上記(１)の硬質フィルム二重張り用固定部材において、垂木材として複層用押さえ材を用いて、この複層用押さえ材を農業用ハウスの骨材に直接ネジ止め固定することができる。（請求項２に対応）
このように構成することにより、複層用押さえ材を垂木材としても使用することができるので、垂木材が無くても農業用ハウスに硬質フィルムの二重張り構造を施すことができる。これにより、硬質フィルム二重張り用固定部材を複層用押さえ材と押さえ材のみで構成することができるので、必要な部材（部品）の種類を少なくすることができる。
【００１９】
(３) また、上記(１)又は(２)の硬質フィルム二重張り用固定部材において、複層用押さえ材を複数個用いることによって、硬質フィルムを三重以上の多重張り構造とすることができる。（請求項３に対応）
このように構成することにより、農業用ハウスにおいて硬質フィルムによる空気層を多層に形成することができるので、保温及び断熱性を一層高くすることができる。また、硬質フィルムの二重張り構造において一方の硬質フィルムが破損した場合にも、さらに外側に硬質フィルムを追加して張ることによって、比較的簡単に補修することができる。
【発明の効果】
【００２０】
本発明による複層用押さえ材は、底面部から平行に伸びる二列の垂直部が中底部により互いに連結されて剛性が高いため、押さえ材を複層用押さえ材に固定するネジのねじ込みによって上記二列の垂直部が左右に拡開されることがないので、ネジのネジ山が中底部に深く食い込むことができ、上記二列の垂直部のネジに対する把持力を大きくすることにより、外側硬質フィルムを固定する押さえ材を複層用押さえ材に対して強く確実に固定することができ、その結果、外側硬質フィルムを確実に安定して固定することができる。
【図面の簡単な説明】
【００２１】
【図１】図１は、本発明の実施例による複層用押さえ材の説明図であり、(ａ)は正面図、(ｂ)は平面図、(ｃ)は側面図である。
【図２】図２は、本発明の実施例による複層用押さえ材であって、その一部の形状を変えた正面図である。
【図３】図３は、本発明による複層用押さえ材を用いて、硬質フィルムを二重張り構造にする手順の説明図であり、(ａ)は内側硬質フィルムを張る場合、(ｂ)はその上に外側硬質フィルムを張る場合である。
【図４】図４は、本発明による複層用押さえ材を垂木材として使用する場合の説明図である。
【図５】図５は、本発明による複層用押さえ材を複数個使用して、硬質フィルムを多層張り構造にする場合の説明図である。
【図６】図６は、従来の農業用ハウスにおいて硬質フィルムの二重張り構造を示す説明図であり、(ａ)は農業用ハウスの一部拡大断面図、(ｂ)〜(ｅ)は二重張り固定部材を示す要部拡大図でる。
【図７】図７は、従来の二重張り固定部材の拡大正面図である。
【図８】図８は、従来の二重張り固定部材における複層用押さえ材の説明図であり、(ａ)は正面図、(ｂ)は平面図、(ｃ)は側面図である。
【図９】図９(ａ)〜(ｆ)は、従来の二重張り固定部材によって、硬質フィルムを二重張り構造にする手順の説明図である。
【図１０】図１０は、従来の二重張り固定部材における複層用押さえ材の二列の垂直部が、ネジにより拡開する様子を示す説明図である。
【発明を実施するための形態】
【００２２】
本発明は、複層用押さえ材の上部に押さえ材を固定するネジを該複層用押さえ材により強く把持して、外側硬質フィルムを確実に安定して固定するという目的を、上記複層用押さえ材における二列の垂直部の間に中底部を形成するという比較的簡単な構成によって実現したものである。
【実施例】
【００２３】
本発明の実施例について、図１〜図３を参照しながら説明する。図１は複層用押さえ材の説明図であり、同図(ａ)〜(ｃ)はそれぞれ正面図、平面図及び側面図である。図２は一部を変形した複層用押さえ材の正面図である。また、図３は硬質フィルムを二重張り構造にする手順を示す説明図である。
本発明は、二重張り固定部材における複層用押さえ材について、外側硬質フィルムを安定して確実に固定することができるように改良したものであって、その他の部材、即ち、垂木材や押さえ材は従来のものと同じであるから、実施例については主に「複層用押さえ材」を中心に説明することとする。
【００２４】
〔複層用押さえ材２０について〕
本発明による複層用押さえ材２０は、図１に示されるように、アルミ合金製垂木材１１Ａ（図７を参照）の上端水平部１１Ａｅ、１１Ａｆよりも幅広の凹部２１を底面に形成するように、左右の両縁が下方に湾曲された左右の脚部２２、２２を備える底面部２３と、この底面部２３の上面から上記アルミ合金製垂木材１１Ａの垂直部１１Ａｃ、１１Ａｄの間隔よりも若干広い間隔を開けて平行に上方に伸びる二列の垂直部２４、２４と、この垂直部２４、２４の上端にそれぞれ内側へ向くように形成された補強リブ２４ａ、２４ａと、上記二列の垂直部２４、２４の間に設けた中底部２５と、底面部２３の左右方向中央の底面において内側硬質フィルムｆ１に対して屈曲によってテンションを加えるための半円形状又は台形状断面突条２３ａとを備えた断面形状のアルミ合金製型材で構成されている。
また、本発明による複層用押さえ材２０は、図２に示されるように、上記二列の垂直部２４、２４の各上端に外側へ向けた補強リブ２４ｂ、２４ｂを形成することもできる。
【００２５】
上記二列の垂直部２４、２４の間に設けられた中底部２５は、該垂直部２４、２４の上端部に近い位置に形成されており、その左右方向の中央部２５ａは薄肉にされ、上記垂直部２４、２４に近い両外側部２５ｂ、２５ｂは比較的肉厚にされている。
上記中底部２５の中央部２５ａの幅は、押さえ材１３を介して外側硬質フィルムｆ２をネジ止めする第２ドリルネジ２８の軸の外径よりも少し狭くなっている（図３(ｂ)）。第２ドリルネジ２８が中底部２５にねじ込まれるとき、上記中底部２５の中央部２５ａは薄肉であるため比較的容易にねじ込まれ、両外側部２５ｂ、２５ｂは肉厚のためネジ山が深く食い込み確実に固定できるようになっている。
【００２６】
上記複層用押さえ材２０の左右の脚部２２、２２における内側硬質フィルムｆ１との接触面と、左右の垂直部２４、２４の先端部及び補強リブ２４ａ、２４ａにおける外側硬質フィルムｆ２との接触面は、上記硬質フィルムｆ１、ｆ２に損傷を与えないように湾曲面又は半円状断面に成っていて、内側及び外側硬質フィルムｆ１、ｆ２と接触しても損傷を与えないようにされている。
また、上記垂直部２４、２４の間隔は、内側硬質フィルムｆ１を固定するための第１ドリルネジ２７の軸や外側硬質フィルムｆ２を固定するための第２ドリルネジ２８の軸を挿通させることができ、さらに、上記第１ドリルネジ２７の頭部を収納することのできる間隔とされている（図３）。即ち、これら垂直部２４、２４と上記中底部２５の外側部２５ｂ、２５ｂにより形成される段状部２５ｃ、２５ｃは、内側硬質フィルムｆ１を固定する第１ドリルネジ２７の頭部を収納すると共に、該第１ドリルネジ２７を締め付けるときにワッシャ等の代わりをするスペーサ的な役割を果たす部材として構成されている。
【００２７】
上記複層用押さえ材２０の１つの具体例を示すと、アルミ合金製型材からなり、二列の垂直部２４、２４の幅は１０.５ｍｍ、左右の脚部２２、２２の幅は２１ｍｍ、全体の高さは２３ｍｍである。また、上記垂直部２４、２４の上端から中底部２５までは５ｍｍであり、底面部２３までは１６.５ｍｍである。そして、長さ方向の寸法は必要な長さに切断して使用される。
【００２８】
〔硬質フィルムを二層に張る手順について〕
次に、上記本発明による複層用押さえ材２０を用いて、農業用ハウス１の屋根等に内側及び外側硬質フィルムｆ１、ｆ２を張る場合の手順について、図３を参照しながら説明する。この二重の硬質フィルムｆ１、ｆ２を張る手順は、図９に示されている従来の場合と基本的に同じである。
先ず、農業用ハウス１の母屋材２や桟材３（骨材）に固定したアルミ合金製垂木材１１Ａの上面に、内側硬質フィルムｆ１をぴんと張った状態でセットし、その上から複層用押さえ材２０で上記内側硬質フィルムｆ１を押さえ付けて、所定間隔毎に第１ドリルネジ２７でネジ止めする（図３(ａ)）。次に、上記複層用押さえ材２０の上面に外側硬質フィルムｆ２をぴんと張った状態でセットし、その上から押さえ材１３で上記外側硬質フィルムｆ２を押さえ付けて、所定間隔毎に第２ドリルネジ２８でネジ止めする（図３(ｂ)）。
【００２９】
このとき、上記複層用押さえ材２０を第１ドリルネジ２７でネジ止めする位置と、上記押さえ材１３を第２ドリルネジ２８でネジ止めする位置は、上記複層用押さえ材２０の長さ方向（図３の紙面に垂直な方向）にずらした位置とする。また、上記複層用押さえ材２０に使用する第１ドリルネジ２７は、この複層用押さえ材２０の垂直部２４、２４の間隔よりも細く、上記アルミ合金製垂木材１１Ａの垂直部１１Ａｃ、１１Ａｄの内面に対してしっかりと螺合する長さを有している。
一方、上記押さえ材１３に使用する第２ドリルネジ２８は、複層用押さえ材２０の底面部２３の深さよりも短く、かつ中底部２５の肉厚の左右の外側部２５ｂ、２５ｂに対して螺合する太さと長さを有している。
【００３０】
上記外側硬質フィルムｆ２を複層用押さえ材２０の上部に固定する場合、押さえ材１３で該外側硬質フィルムｆ２を押さえ付けて第２ドリルネジ２８を上記複層用押さえ材２０の中底部２５にねじ込んで固定するが、このとき、上記複層用押さえ材２０の二列の垂直部２４、２４には外側へ拡開する力が作用する（図１０の矢印Ｘを参照）。
しかし、本発明による複層用押さえ材２０では、二列の垂直部２４、２４が中底部２５によって互いに連結されて剛性が強くなっているので、該二列のの垂直部２４、２４は拡開されることはなく、上記第２ドリルネジ２８のネジ山は中底部２５の外側部２５ｂ、２５ｂに深く食い込み、上記押さえ材１３を複層用押さえ材２０に対して強く確実に固定する。
【００３１】
このように上記実施例による複層用押さえ材２０を用いて硬質フィルムｆ１、ｆ２を二重張り構造にすると、内側硬質フィルムｆ１は、アルミ合金製垂木材１１Ａの上端水平部１１Ａｅ、１１Ａｆと、複層用押さえ材２０における脚部２２、２２及び突条２３ａによる屈曲によって、テンションが加わった状態で固定される（図３(ａ)）。また、外側硬質フィルムｆ２は、複層用押さえ材２０の上端部（補強リブ２４ａ、２４ａ）と、押さえ材１３における脚部１３ｂ、１３ｃ及び半円形断面突条１３ｆによる屈曲によって、テンションが加わった状態で固定される（図３(ｂ)）。その結果、上記内側硬質フィルムｆ１と外側硬質フィルムｆ２との間には、所定の間隔の空隙が形成される。
そして、屋根上での作業では、押さえ材１３を足場として利用することができる。その際、アルミ合金製垂木材１１Ａ、複層用押さえ材２０、及び押さえ材１３の中心が一致した状態にあり、二重張り用固定部材１０で作業者の体重を母屋材２等に対して垂直に受け止めることができる。
【００３２】
〔複層用押さえ材２０を垂木材として用いる場合について〕
上記実施例においては、アルミ合金製垂木材１１Ａ、複層用押さえ材２０、及び押さえ材１３から成るフィルム二重張り用固定部材１０により、内側硬質フィルムｆ１と外側硬質フィルムｆ２を二重張り構造にする場合について説明したが、本発明による複層用押さえ材２０を垂木材として使用することによって、図４に示されるように、下側の複層用押さえ材２０と中間の複層用押さえ材２０と上側の押さえ材１３によりフィルム二重張り用固定部材１０を構成することができる。
【００３３】
先ず、農業用ハウス１の母屋材２又は桟材３（骨材）に対して、アルミ合金製垂木材１１Ａに替えて（下側の）複層用押さえ材２０を第１ドリルネジ２７でネジ止めし、この複層用押さえ材２０の上面に内側硬質フィルムｆ１をぴんと張った状態でセットする（図４(ａ)）。このセットした内側硬質フィルムｆ１の上から別の（中間の）複層用押さえ材２０で上記内側硬質フィルムｆ１を押さえ付けて、所定間隔毎に第１ドリルネジ２７でネジ止めし、さらに上記別の複層用押さえ材２０の上面に外側硬質フィルムｆ２をぴんと張った状態でセットする（図４(ｂ)）。このセットした外側硬質フィルムｆ２の上から押さえ材１３で上記外側硬質フィルムｆ２を押さえ付けて、所定間隔毎に第２ドリルネジ２８でネジ止めする（図３(ｃ)）。
【００３４】
このとき、上記垂木材に替えて使用した（下側の）複層用押さえ材２０を第１ドリルネジ２７でネジ止めする位置と、上記別の（中間の）複層用押さえ材２０を第１ドリルネジ２７でネジ止めする位置は、長さ方向（図４の紙面に垂直な方向）にずらした位置とする。また、上記別の複層用押さえ材２０を第１ドリルネジ２７でネジ止めする位置と、上記押さえ材１３を第２ドリルネジ２８でネジ止めする位置は、同様に長さ方向にずらした位置とする。
【００３５】
〔硬質フィルムを多重張り構造にする場合について〕
上記実施例では硬質フィルムを二重張り構造にする場合について説明したが、図５に示されているように、本発明による複層用押さえ材２０を複数個用いることによって、硬質フィルムを三重張り以上の多重張り構造にすることができる。
ここでは、硬質フィルムを四重張り構造にする場合について、図５を参照しながら説明する。なお、図５では第１及び第２ドリルネジ２７、２８の図示を省略している。
先ず、農業用ハウス１の母屋材２又は桟材３に対して、アルミ合金製垂木材１１Ａ、又は複層用押さえ材２０を第１ドリルネジ２７でネジ止めする（図５では、垂木材として複層用押さえ材２０を用いている）。次に、上記アルミ合金製垂木材１１Ａ、又は複層用押さえ材２０の上面に内側硬質フィルムｆ１をぴんと張った状態でセットして、その上から別の（第２の）複層用押さえ材２０で上記内側硬質フィルムｆ１を押さえ付けて、所定間隔毎に第１ドリルネジ２７でネジ止めする。
【００３６】
さらに、上記別の（第２の）複層用押さえ材２０の上面に第１の外側硬質フィルムｆ２をぴんと張った状態でセットして、その上からさらに別の（第３の）複層用押さえ材２０で上記第１の外側硬質フィルムｆ２を押さえ付けて、所定間隔毎に第１ドリルネジ２７でネジ止めする。さらに、同じ手順を繰り返して（第４の複層用押さえ材２０により）第２の外側硬質フィルムｆ３を張る。そして最後に、第４の複層用押さえ材２０の上面に第３の外側硬質フィルムｆ４をぴんと張った状態でセットし、その上から押さえ材１３で上記第３の外側硬質フィルムｆ４を押さえ付けて、所定間隔毎に第２ドリルネジ２８でネジ止めする。
【００３７】
このとき、下側から奇数番目の複層用押さえ材２０を第１ドリルネジ２７でネジ止めする位置と、同じく下側から偶数番目の複層用押さえ材２０を第１ドリルネジ２７でネジ止めする位置は、長さ方向（図５の紙面に垂直な方向）にずらした位置とする。また、最上位（第４の）複層用押さえ材２０を第１ドリルネジ２７でネジ止めする位置と、上記押さえ材１３を第２ドリルネジ２８でネジ止めする位置は、同様に長さ方向にずらした位置とする。
【００３８】
そして、上記硬質フィルムを三重張り以上の多層張り構造にする手法は、二重張り構造の硬質フィルムの一部が破損したとき、その破損を補修する場合に利用することができる。
例えば、図３(ｂ)に示される二重張り構造において、外側硬質フィルムｆ２の一部が破損した場合には、第２ドリルネジ２８を弛めて押さえ材１３を取り外した後、その上に別の複層用押さえ材２０を第１ドリルネジ２７でネジ止め固定し、上記別の複層用押さえ材２０の上面に新たに第２の外側硬質フィルムｆ３をぴんと張った状態でセットし、その上から先ほど取り外した押さえ材１３で上記第２の外側硬質フィルムｆ３を押さえ付けて、所定間隔毎に第２ドリルネジ２８でネジ止めする。
このようにして、一部が破損した外側硬質フィルムｆ２の外側に新たな第２の外側硬質フィルムｆ３を追加して形式的に三重張り構造にすることにより、二重張り構造としての機能を実質的に維持することが可能となる。
【符号の説明】
【００３９】
１…農業用ハウス                        ２…母屋材２
３…桟材３                              ６，７…ネジ（ドリルネジ）
８…天窓
１０…二重張り用固定部材（二重張り固定部材）
１１Ａ…アルミ合金製垂木材
１１Ａａ…ボトム空間                    １１Ａｂ…正三角形状ボトム部
１１Ａｃ、１１Ａｄ…垂直部              １１Ａｅ、１１Ａｆ…上端水平部
１１Ａｇ…底面水平部                    １１Ａｈ、Ａ１１ｉ…三角形断面形状の突条
１３…押さえ材                          １３ａ…凹部
１３ｂ、１３ｃ…脚部                    １３ｄ…板状部
１３ｆ…半円形断面突条
２０…複層用押さえ材                    ２１…凹部
２２…脚部                              ２３…底面部
２３ａ…突条
２４…垂直部                            ２４ａ，２４ｂ…補強リブ
２５…中底部                            ２５ａ…中央部（中央薄肉部）
２５ｂ…外側部（外側肉厚部）            ２５ｃ…段状部
２７…第１ドリルネジ                    ２８…第２ドリルネジ
ｆ１…内側硬質フィルム                  ｆ２…外側硬質フィルム
ｆ３…第２の外側硬質フィルム            ｆ４…第３の外側硬質フィルム
【図１】
0006434731.tif 000002
【図２】
0006434731.tif 000003
【図３】
0006434731.tif 000004
【図４】
0006434731.tif 000005
【図５】
0006434731.tif 000006
【図６】
0006434731.tif 000007
【図７】
0006434731.tif 000008
【図８】
0006434731.tif 000009
【図９】
0006434731.tif 000010
【図１０】
0006434731.tif 000011